(57)【特許請求の範囲】
【請求項１】
表裏を貫通する開孔を有し、この開孔を内容物の排出口とする天面壁と、この天面壁の縁部に一体形成され、容器の口部において固定保持される周壁と、天面壁に形成された区画凹所にて回動可能に支持され、該天面壁の開孔を開閉する蓋体とを備え、容器の傾転もしくは反転による振出し動作にて容器内の内容物を前記天面壁の開孔を通して排出する振出し容器用キャップにおいて、
前記蓋体の裏面に垂れ壁を設け、この垂れ壁の下端部両側に一対の軸部を配設してなり、
前記区画凹所に、該軸部を回動可能に受け入れる軸受け部と、蓋体の裏面に当接するか極僅かな隙間を残して近接する先端部を有し、蓋体の開放時に付加される押し込み力を該先端部で受けて蓋体の回動抵抗の増大を軽減する起立壁を設けたことを特徴とする振出し容器用キャップ。
【請求項２】
表裏を貫通する開孔を有し、この開孔を内容物の排出口とする天面壁と、この天面壁の縁部に一体形成され、容器の口部において固定保持される周壁と、天面壁に形成された区画凹所にて回動可能に支持され、該天面壁の開孔を開閉する蓋体とを備え、容器の傾転もしくは反転による振出し動作にて容器内の内容物を前記天面壁の開孔を通して排出する振出し容器用キャップにおいて、
前記蓋体の裏面に垂れ壁を設け、この垂れ壁の下端部両側に一対の軸部を配設してなり、
前記区画凹所に、軸部を回動可能に受け入れる軸受け部と、一定の曲率半径をもった凹部又は凸部を設け、
前記垂れ壁は、該凹部又は凸部に摺動可能に当接するとともに蓋体の開放時に付加される押し込み力を受けて蓋体の回動抵抗の増大を軽減する凸部又は凹部を有することを特徴とする振出し容器用キャップ。
【請求項３】
前記軸部が、弾性的な変位を可能とするC字形状をなす、請求項1又は2記載の振出し容器用キャップ。
【請求項４】
前記軸部及び軸受け部の少なくとも一方に、蓋体の開閉時における弾性的な変位により相互の連係とその解除を可能とする舌片を有する、請求項1〜3の何れか1項に記載の振出し容器用キャップ。
【発明の詳細な説明】
【技術分野】
【０００１】
本発明は、振出し容器用のキャップに関するものであり、蓋体を開放する際に生じていた該蓋体の回動抵抗の増大を極力軽減しようとするものである。
【背景技術】
【０００２】
粒子径の小さい、例えばこしょう、塩等の調味剤や化粧料等の粉体を入れる容器としては、その口部に複数の孔（振出し口）を有するキャップを装着して、該キャップが下側に向くように容器自体を傾転させるか反転させて振出し動作を実行することによって粉体を適量排出するものが知られている（例えば特許文献１参照）。
【０００３】
【特許文献１】実公平1−8525号公報
【０００４】
ところで、この種の容器に適用されるキャップは、振出し口を開閉する蓋体がキャップに対し軸受けを介して回動可能に保持されており、蓋体の後端部を押し込むことで振出し口を開放するのが普通であるところ、振出し口を開放する際、蓋体に設けられた軸部が軸受け面に強く接触するため回動抵抗が大きくなる（蓋が開け難い）不具合が生じるおそれがあった。
【発明の開示】
【発明が解決しようとする課題】
【０００５】
本発明の課題は、上記のような振出し容器が抱えていた従来の不具合を解消できる新規なキャップを提案するところにある。
【課題を解決するための手段】
【０００６】
本発明は、表裏を貫通する開孔を有し、この開孔を内容物の排出口とする天面壁と、この天面壁の縁部に一体形成され、容器の口部において固定保持される周壁と、天面壁に形成された区画凹所にて回動可能に支持され、該天面壁の開孔を開閉する蓋体とを備え、容器の傾転もしくは反転による振出し動作にて容器内の内容物を前記天面壁の開孔を通して排出する振出し容器用キャップにおいて、
前記蓋体の裏面に垂れ壁を設け、この垂れ壁の下端部両側に一対の軸部を配設してなり、
前記区画凹所に、該軸部を回動可能に受け入れる軸受け部と、蓋体の裏面に当接するか極僅かな隙間を残して近接する先端部を有し、蓋体の開放時に付加される押し込み力を該先端部で受けて蓋体の回動抵抗の増大を軽減する起立壁を設けたことを特徴とする振出し容器用キャップである。
【０００７】
また、本発明は、表裏を貫通する開孔を有し、この開孔を内容物の排出口とする天面壁と、この天面壁の縁部に一体形成され、容器の口部において固定保持される周壁と、天面壁に形成された区画凹所にて回動可能に支持され、該天面壁の開孔を開閉する蓋体とを備え、容器の傾転もしくは反転による振出し動作にて容器内の内容物を前記天面壁の開孔を通して排出する振出し容器用キャップにおいて、
前記蓋体の裏面に垂れ壁を設け、この垂れ壁の下端部両側に一対の軸部を配設しており、
前記区画凹所に、軸部を回動可能に受け入れる軸受け部と、一定の曲率半径をもった凹部又は凸部を設け、
前記垂れ壁は、該凹部又は凸部に摺動可能に当接するとともに蓋体の開放時に付加される押し込み力を受けて蓋体の回動抵抗の増大を軽減する凸部又は凹部を有することを特徴とする振出し容器用キャップである。
【０００８】
上記の構成になるキャップにおいて、軸部は弾性的な変位を可能とするC字形状を有するものを適用することが可能であり、軸部及び軸受け部の少なくとも一方には、蓋体の開放時における弾性的な変位により相互の連係とその解除を可能とする舌片を設けるのが望ましい。また、この舌片は軸部と軸受け部の連係あるいは連係解除に際してクリック感を誘発するものとするのがよい。
【発明の効果】
【０００９】
天面壁に形成した区画凹所に起立壁を設け、この起立壁の先端部を蓋体の裏面に当接させるか、極僅かな隙間を残して近接させておくと、蓋体を開ける際の押し込み力が大きい場合に起立壁そのものが余計な押し込み力を受けることとなり、軸部が軸受け部に強く接触することがなくなり、蓋体のスムーズな開放が可能となる。
【００１０】
また、天面壁に形成した区画凹所に一定の曲率半径をもった凹部又は凸部を設け、蓋体の裏面に設けた垂れ壁の下端部に設けた凸部又は凹部を区画凹所に設けた凹部又は凸部に適合させておくことで、蓋体を開ける際の押し込み力が大きい場合に垂れ壁そのものが余計な押し込み力を受けることとなり、軸部が軸受け部に強く接触することがなくなり、蓋体のスムーズか開放が可能となる。
【００１１】
軸部あるいは軸受け部の何れか一方に弾性変位可能な舌片を設けて蓋体の開閉時にクリック感を誘発させることにより蓋体を確実に閉じたかどうか（あるいは開いたかどうか）が把握しやすくなる。
【発明を実施するための最良の形態】
【００１２】
以下、図面を用いて本発明をより具体的に説明する。
図1〜5は本発明にしたがう振出し容器用キャップの実施の形態を示したものであり、図1はキャップの外観斜視図、図2は側面図、図3は図2の背面図、図4は図2の平面図、そして図5は軸部の組み付け状況をわかりやすく図解した図である。
【００１３】
図における1は内容物を充填する容器（図2参照）、2は容器1の口部1aにねじ止め固定される振出し用キャップである（アンダーカットを適用して固定保持してもよい）。この振出し用キャップ2は表裏を貫通する複数の開孔hを有し、この開孔hを内容物の排出口とする天面壁2aと、この天面壁2aの縁部に一体成形される周壁2bと、天面壁2aにおいて形成された区画凹所T(側壁T１、T２、T３、底壁T４にて構成される)にて回転可能に支持され、該天面壁2aの開孔hを開閉する蓋体2cからなっている。蓋体2cは天面壁2aの開孔hに適合する突起tを有している。
【００１４】
また、3は蓋体2cの裏面に設けられた板状になる垂れ壁、4a、4bは垂れ壁3の両側端（幅端部）に設けられた軸部である。この軸部4a、4bはC字形状をなしており弾性的な変位を可能とするスナップリングタイプの環状体からなり、その下側端部には先細り突出片4a１、4b１が形成されている。
【００１５】
5a、5bは区画凹所Tの側壁T２、T３に設けられ、軸部4a、4bを回動可能に受け入れる軸受け部である。この軸受け部5a、5bは上方から軸部4a、4bを弾性変位（縮径）させながら押し込むことができる程度の開放部5cを有している。
【００１６】
6、7は区画凹所Tの底壁T４から側壁T１、T２にかけて設けられた起立壁である。この起立壁6、7はその側部において軸受け部5a、5bの一部分を形成する凹部6a、7aと、蓋体2cの裏面に当接するか極僅かな隙間を残して近接する先端部（上端部）6b、7bをそれぞれ有しており、蓋体2cの開放時に付加される押し込み力を該先端部6b、7bで受けて蓋体2cの回動抵抗を軽減するようになっている。8、9は起立壁6、7の基部に形成され軸部4a、4bの先細り突出片4a１、4b１を受け入れる凹部である。この凹部8、9はストッパーとしての機能を有しており、その下部壁は該突出片4a１、4b１が出入りするとき弾性的な変位が誘導され軸部4a、4bとの連係とその解除を可能とする舌片8a、9aになっている。
【００１７】
かかる構成になるキャップにおいて、容器1内の内容物を振出し可能にするには、蓋体2cの上面に設けられた後端側の凹部に指をあてがい、該蓋体2cを下側へ向けて押し込めばよく、これにより軸部4a、4bが軸受け部5a、5b内で回動することとなり蓋体2cが開放される。
【００１８】
蓋体2の開放に際して起立壁6、7の先端部6b、7bは蓋体2の裏面に当接するため、回動抵抗を増大させるような力は軸部4a、4bに付加されることがない。
【００１９】
また、蓋体2の開閉に際して軸部4a、4bの先細り突出片4a１、4b１が凹部8、9において出入りするとき舌片8a、9aが弾性的に変位してクリック感を与え、蓋体2が開放あるいは閉塞したかどうかが目視によらずとも把握することが可能になっている。
【００２０】
図6は軸部4a、4bの他の例を示したものである。軸部4a、4bは図示の如く外側へ向けて先細り形状となるようにテーパーを付与しておくことができ（この場合軸受け部5a、5bも同様の形状を有する受け入れ空間を形成しておく）、これにより軸受け部5a、5bへの組み付けを簡単に行うことができる。
【００２１】
図7〜9は本発明にしたがうキャップの他の実施の形態を示した図である。
図における10は区画凹所Tの底壁T４に一定の曲率半径をもって形成された凹部（凸部でもよい）、11は垂れ壁3の下端部でその幅方向に沿う2個所に設けた例で示した凸部である。この凸部11は凹部10と同等の曲率半径をもち、該凹部10において摺動可能に当接しており、蓋体2の開放時に付加される余計な押し込み力を凹部10にて受け止め、該蓋体2の回動抵抗が大きくなるのを抑制するものであり、この例では凸部11と凹部10とをそれぞれ2個所設ける場合について示したが、1箇所（全幅にわたるものを含む）でもよいし3個所以上設けるようにしてもよい。また、凸部11と凹部10の形成個所は同数とせずともよい。
【００２２】
本発明のキャップは蓋体2c（軸部4a、4b、垂れ壁3を含む）と他の部材（天面壁2a、周壁2b、軸受け部5a、5b、起立壁6、7を含む）との2部材にて構成することができ、構造の簡素化、効率的な組み立てを行い得る。
【００２３】
軸部4a、4bは垂れ壁3を介して蓋体2cに設け、軸受け部5a、5b、起立壁6、7は天面壁2aに設けた場合について示したが、軸部4a、4bを天面壁2a側に、また、軸受け部5a、5bを蓋体2c側に設けることもできる。また、起立壁6、7を省略し、これと同様の機能を有するものを蓋体2c側に設けてもよい。さらに軸部4a、4bについても円形断面、楕円形断面あるいは多角形断面を有する環状体や柱状体等を適用することもできる。
【産業上の利用可能性】
【００２４】
蓋体を開放する際の押し込み力に起因した回動抵抗の増大を防ぎ、該蓋体をスムーズに回動可能な振出し容器用キャップが提供できる。
【図面の簡単な説明】
【００２５】
【図１】本発明にしたがう振出し容器用のキャップの実施の形態を示した図である（外観斜視図）。
【図２】図1に示したキャップの側面を断面で示した図である。
【図３】図1に示したキャップの背面を示した図である。
【図４】図1に示したキャップの平面を示した図である。
【図５】軸部の形状を示した図である。
【図６】本発明にしたがうキャップの他の実施の形態を示した図である。
【図７】本発明にしたがうキャップのさらに他の実施の形態を示した図である。
【図８】図7に示したキャップの背面を示した図である。
【図９】図7に示したキャップの平面を示した図である。
【符号の説明】
【００２６】
1   容器
1a  口部
2   キャップ
2a  天面壁
2b  周壁
2c  蓋体
3   垂れ壁
4a  軸部
4b  軸部
5a  軸受け部
5b  軸受け部
6   起立壁
6a  凹部
6b  先端部
7   起立壁
7a  凹部
7b  先端部
8   凹部
9   凹部
10  凸部
11  凸部
h   開孔
T   区画凹所
【図１】
0005214274.tif 000002
【図２】
0005214274.tif 000003
【図３】
0005214274.tif 000004
【図４】
0005214274.tif 000005
【図５】
0005214274.tif 000006
【図６】
0005214274.tif 000007
【図７】
0005214274.tif 000008
【図８】
0005214274.tif 000009
【図９】
0005214274.tif 000010